(57)【要約】【課題】ハウジングにおける相手側コネクタとの対向面に端子金具の圧入に起因する膨出部が盛り上がるのを回避する。【解決手段】基板用コネクタ１０（コネクタ）は、ハウジング１１の圧入孔１３に細長い端子金具３０を圧入し、端子金具３０の圧入方向先端部をハウジング１１における雌側コネクタ４０（相手側コネクタ）との対向面１５から突出させたものであり、対向面１５には、圧入孔１３の孔縁を凹ませた形態の凹部１７を形成した。端子金具３０を圧入孔１３に圧入したときに、圧入孔１３の内壁の一部１３ａが対向面１５側へ膨出しても、その膨出部１３ａは凹部１７内に収容される。したがって、膨出部１３ａが雌側コネクタ４０と干渉する虞はない。【選択図】  図１０
2004164932.tif 000002
【特許請求の範囲】
【請求項１】
ハウジングに形成した圧入孔に細長い端子金具を圧入し、前記端子金具の圧入方向先端部を前記ハウジングにおける相手側コネクタとの対向面から突出させるようにしたコネクタにおいて、
前記対向面には、前記圧入孔の孔縁を凹ませた形態の凹部を形成したことを特徴とするコネクタ。
【発明の詳細な説明】
【０００１】
【発明の属する技術分野】
本発明は、細長いピン状の端子金具をハウジングに貫通させて構成されるコネクタに関するものである。
【０００２】
【従来の技術】
基板用コネクタは、回路基板に固定される合成樹脂製のハウジングに圧入孔を形成し、細長いピン状をなす端子金具を圧入孔に圧入することでハウジングに対して貫通状態で組み付けた構造をなす。端子金具の一方の端部は、ハウジングにおける相手側コネクタとの対向面から突出して相手側端子に接続される端子接続部とされ、端子金具の他方の端部は回路基板のスルーホールに差し込まれる基板接続部となっている（例えば、特許文献１等を参照）。
【０００３】
【特許文献１】
特開２０００−８２５１５公報
【０００４】
【発明が解決しようとする課題】
圧入孔に端子金具を圧入する方向としては、端子接続部側を先に向けて差し込む形態と、基板接続部を先に向けて差し込む形態の２通りが考えられるが、基板接続部が半田付けされずにスルーホールの内壁に対して弾性的に圧接するプレスフィットタイプの場合には、圧接部が太くなっているため端子接続部を先に向けて差し込む形態のみが可能である。
【０００５】
端子金具を圧入孔に圧入して組み付けるコネクタでは、圧入孔を端子金具よりも僅かに小さい大きさにして摩擦により端子金具を遊動規制するようになっているため、端子金具の圧入方向出口側では圧入孔の内壁の一部がハウジングの外面側へ盛り上がった状態となることがある。
そのため、上記プレスフィットタイプのように端子接続部を先に向けて圧入孔に差し込んだ場合は、圧入孔の内壁の一部が、ハウジングにおける相手側コネクタとの対向面側へ膨出部として突出した状態になることが懸念される。もし、このようになると、相手側コネクタと嵌合したときにその相手側コネクタが膨出部に突き当たり、正規の深さまで嵌合が進まなくなる虞がある。
【０００６】
本願発明は上記事情に鑑みて創案され、ハウジングにおける相手側コネクタとの対向面に端子金具の圧入に起因する膨出部が盛り上がるのを回避することを目的としている。
【０００７】
【課題を解決するための手段】
請求項１の発明は、ハウジングに形成した圧入孔に細長い端子金具を圧入し、前記端子金具の圧入方向先端部を前記ハウジングにおける相手側コネクタとの対向面から突出させるようにしたコネクタにおいて、前記対向面には、前記圧入孔の孔縁を凹ませた形態の凹部を形成した構成とした。
【０００８】
【発明の作用及び効果】
［請求項１の発明］
端子金具を圧入孔に圧入したときに、圧入孔の内壁の一部がハウジングにおける相手側コネクタとの対向面側へ膨出しても、その膨出部は、凹部内に収容されるため、対向面から突出することはない。
【０００９】
【発明の実施の形態】
［実施形態１］
以下、本発明を具体化した実施形態１を図１乃至図１０を参照して説明する。尚、以下の説明において、前後方向については、図１〜図５、図７から図１０における右側を前側ということにする。また、上下方向については、図１及び図２を基準とする。
【００１０】
本実施形態の基板用コネクタ１０（本発明の構成要件であるコネクタ）は、回路基板Ｐに取り付けられるものであり、合成樹脂製のハウジング１０とこのハウジング１０に組み付けられる複数の端子金具３０と、端子金具３０を整列させるための整列部材２０とを備えて構成される。
ハウジング１０は、略方形の後面壁１１と、この後面壁１１の外周縁から前方へ突出する角筒状のフード部１２とを有している。後面壁１１には、その前後両面間を貫通する複数の圧入孔１３が上下左右に整列して形成されている。後面壁１１のうち各圧入孔１３と対応する複数領域には、夫々、後面側へ突出する凸部１４が形成されており、圧入孔１３はこの凸部１４内を貫通している。圧入孔１３の前端は、後面壁１１の前面、即ち雌側コネクタ４０（本発明の構成要件である相手側コネクタ）と対向する対向面１５に方形に開口され、圧入孔１３の後端は凸部１４の後端面に方形に開口されている。また、凸部１４には、その後端面における圧入孔１３の孔縁部を凹ませた形態のテーパ状の誘導部１６が形成されている。
【００１１】
後面壁１１の対向面１５、即ちフード部１２の奥端面には、各圧入孔１３の孔縁部を全周に亘って（全辺に亘って）凹ませた形態の凹部１７が形成されている。この凹部１７は、対向面１５に対して段差状に凹んでおり、正面から視て方形をなしている。即ち、対向面１５上において、圧入孔１３の開口領域と凹部１７とは相似形をなしている。
また、フード部１２の上面壁には、下方へ突出するカムピン１８が形成されている。さらに、後面壁１１の下端部には、フード部１２の下面壁に対してほぼ面一状に後方へ延出するように整列部材２０が取り付けられている。この整列部材２０には上下方向に貫通する複数の位置決め孔２１が形成されている。
【００１２】
端子金具３０は、全体として細長いピン状をなし、一直線状に成型された後に、Ｌ字形に屈曲されている。端子金具３０のうち屈曲部３１から前方へ水平に延びる部分は端子接続部３２とされ、屈曲部３１から下方へ延びる部分は基板接続部３３とされている。端子金具３０のうち少なくとも端子接続部３２は方形断面をなし、この端子接続部３２の縦横の寸法は、圧入孔１３の縦横寸法よりも僅かに大きい寸法に設定されている。一方、基板接続部３３の下端部には、幅方向中央部を縦に裂いた形態であって左右一対の縦長の撓み片３４ａを有するプレスフィット部３４が形成されている。
【００１３】
かかる端子金具３０は、その端子接続部３２を先に向けた状態で圧入孔１３に対して後方から圧入され、ハウジング１０に対しその後面壁１１を貫通する状態で組み付けられる。端子接続部３２の略前半部分は、後面壁１１における雌側コネクタ４０との対向面１５から前方へ突出してフード部１２内に臨んでいる。
さて、端子接続部３２を圧入孔１３に圧入する際には、端子接続部３２が圧入孔１３よりも僅かに大きく成型されていることから、圧入孔１３の内壁の一部１３ａが端子接続部３２によって対向面１５側（端子接続部３２の圧入方向先方側）へ押し出され、その押し出された部分が膨出部１３ａとして端子接続部３２の外周面に沿いつつ対向面１５側へ膨出する。ところが、対向面１５上における圧入孔１３の孔縁には、対向面１５に対して段差状に凹んだ形態の凹部１７が全周に亘って形成されているので、膨出部１３ａは凹部１７によって構成される空間内に収容された状態となり、対向面１５よりも前方へ突出する虞はない。即ち、凹部１７の深さ寸法は、膨出部１３ａの予想される高さ寸法以上の深さに設定されている。
【００１４】
端子接続部３２の略後半部分、屈曲部３１及び基板接続部３３は、後面壁１１よりも後方に位置している。そして、各基板接続部３３は、夫々、整列部材２０の位置決め孔２１に貫通されることで、回路基板ＰのスルーホールＨと対応するように位置決めされる。プレスフィット部３４は、整列部材２０よりも下方に位置してスルーホールＨへの接続に備える。
かかる基板用コネクタ１０は、ハウジング１０（フード部１２の下面壁及び整列部材２０）を回路基板Ｐの上面に載置した状態で固定されるとともに、各端子金具３０のプレスフィット部３４は、その撓み片３４ａを弾性変形させつつスルーホールＨに差し込まれる。差し込まれたプレスフィット部３４の撓み片３４ａがスルーホールＨの内壁面に対して弾性的に当接し、もって、端子金具３０と回路基板Ｐとが所定の接触圧で接続される。
【００１５】
雌側コネクタ４０は、内部に雌端子金具４１を収容するとともに、上端部に水平板状をなすレバー４２を回動可能に支持したものであり、フード部１２の内部に嵌合されるようになっている。この雌側コネクタ４０は、回路基板Ｐに取り付けられた基板用コネクタ１０に対して嵌合される。
両コネクタ１０，４０を嵌合する際には、雌側コネクタ４０をフード部１２に浅く嵌合してレバー４２のカム溝４３の入口をカムピン１８に嵌め入れ、その状態でレバー４２を回動させる。すると、カム溝４３とカムピン１８との係合によるカム作用により、両コネクタ１０，４０が互いに引き寄せられる。そして、レバー４２が所定の位置まで回動されると、両コネクタ１０，４０が正規の嵌合状態に至る。
【００１６】
上述のように本実施形態の基板用コネクタ１０は、ハウジング１０に形成した圧入孔１３に細長い端子金具３０を圧入し、端子金具３０の圧入方向先端部をハウジング１０における雌側コネクタ４０との対向面１５から突出させる形態となっているが、対向面１５には、圧入孔１３の孔縁を凹ませた形態の凹部１７を形成したので、端子金具３０を圧入孔１３に圧入したときに、圧入孔１３の内壁の一部が対向面１５側へ膨出しても、その膨出部１３ａは、凹部１７内に収容され、対向面１５よりも前方へ突出することはない（図９及び図１０を参照）。したがって、雌側コネクタ４０との嵌合状態において、雌側コネクタ４０の正面が基板用コネクタ１０の対向面１５に当接するようになっていても、雌側コネクタ４０と膨出部１３ａとが干渉することはない。
【００１７】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では基板用コネクタに適用した例を説明したが、本発明は、基板用コネクタに限らず、ハウジングに対して端子金具を圧入により貫通状態で組み付ける他のタイプのコネクタも適用できる。
【００１８】
（２）上記実施形態では基板側接続部がプレスフィットタイプのものである場合について説明したが、本発明によれば、基板側接続部がプレスフィットタイプのものではなく半田付けによより回路基板に接続される場合にも適用することができる。
（３）上記実施形態では端子金具がＬ字形に屈曲したタイプの場合について説明したが、本発明によれば、端子金具が屈曲せずに「Ｉ」字形をなす場合にも適用することができる。
【００１９】
（４）上記実施形態ではレバーによるカム作用を利用してコネクタの嵌合を行うもについて説明したが、本発明によれば、レバーを用いずにコネクタの嵌合を行う場合にも適用することができる。
（５）上記実施形態では凹部を段差状に凹ませた形態としたが、本発明によれば、凹部は略球面状に湾曲した形態で凹ませてもよい。
【図面の簡単な説明】
【図１】実施形態１において相手側コネクタを離脱させた状態の縦断面図
【図２】相手側コネクタと嵌合した状態の縦断面図
【図３】ハウジングの正面図
【図４】レバーによるカム構造をあらわす水平断面図
【図５】レバーによるカム構造をあらわす水平断面図
【図６】ハウジングに端子金具を圧入する前の状態をあらわす縦断面図
【図７】端子金具との回路基板との接続構造をあらわす部分拡大縦断面図
【図８】端子金具を圧入孔に圧入する前の状態をあらわす部分拡大縦断面図
【図９】端子金具を圧入孔に圧入した状態をあらわす部分拡大縦断面図
【図１０】相手側コネクタと嵌合した状態をあらわす部分拡大縦断面図
【符号の説明】
１０…基板用コネクタ（コネクタ）
１１…ハウジング
１３…圧入孔
１５…対向面
１７…凹部
３０…端子金具
４０…雌側コネクタ（相手側コネクタ）
【図１】
2004164932.tif 000003
【図２】
2004164932.tif 000004
【図３】
2004164932.tif 000005
【図４】
2004164932.tif 000006
【図５】
2004164932.tif 000007
【図６】
2004164932.tif 000008
【図７】
2004164932.tif 000009
【図８】
2004164932.tif 000010
【図９】
2004164932.tif 000011
【図１０】
2004164932.tif 000012